(57)【特許請求の範囲】
【請求項１】
外部取水域と貯水域とを区画するとともに、これら外部取水域と貯水域とを連通させる貫通孔を有し、かつ、上端が前記外部取水域の最大水位よりも高く設定された堰と、
前記貯水域内の水を吸い上げるポンプと、
前記貫通孔の開口率を調整可能な絞り部と、
を備え、
前記絞り部は、０％よりも大きい開口率である最小開口率と、前記開口率が１００％となる最大開口率との間で前記開口率を調整可能である取水ピット。
【請求項２】
前記ポンプが前記水を一定の流量で吸い上げるように該ポンプを制御する制御部を備える請求項１に記載の取水ピット。
【請求項３】
前記絞り部は、前記堰の延びる方向に進退可能であるとともに、前記貫通孔と同方向に延びる小開孔が形成されたゲートである請求項１又は２に記載の取水ピット。
【請求項４】
前記絞り部は、前記貫通孔の延びる方向に交差する方向に延びる回転軸回りに回動可能な複数のフラップである請求項１又は２に記載の取水ピット。
【請求項５】
前記絞り部は、前記貫通孔の延びる方向に交差する方向に延びる回転軸回りに回動可能な複数のバタフライ弁である請求項１又は２に記載の取水ピット。
【請求項６】
外部取水域と貯水域とを区画するとともに、これら外部取水域と貯水域とを連通させる貫通孔を有し、かつ、上端が前記外部取水域の最大水位よりも高く設定された堰と、
前記貯水域内の水を吸い上げるポンプと、
前記貫通孔の開口率を調整可能な絞り部と、
を備え、
前記絞り部は、前記堰の延びる方向に進退可能であるとともに、前記貫通孔と同方向に延びる小開孔が形成されたゲートである取水ピット。
【請求項７】
外部取水域と貯水域とを区画するとともに、これら外部取水域と貯水域とを連通させる貫通孔を有し、かつ、上端が前記外部取水域の最大水位よりも高く設定された堰と、
前記貯水域内の水を吸い上げるポンプと、
前記貫通孔の開口率を調整可能な絞り部と、
を備え、
前記絞り部は、前記貫通孔の延びる方向に交差する方向に延びる回転軸回りに回動可能な複数のフラップである取水ピット。
【請求項８】
外部取水域と貯水域とを区画するとともに、これら外部取水域と貯水域とを連通させる貫通孔を有し、かつ、上端が前記外部取水域の最大水位よりも高く設定された堰と、
前記貯水域内の水を吸い上げるポンプと、
前記貫通孔の開口率を調整可能な絞り部と、
を備え、
前記絞り部は、前記貫通孔の延びる方向に交差する方向に延びる回転軸回りに回動可能な複数のバタフライ弁である取水ピット。
【発明の詳細な説明】
【技術分野】
【０００１】
本発明は、取水ピットに関する。
【背景技術】
【０００２】
例えば火力発電プラントのように、蒸気タービンへの給水や、各装置の冷却水として大量の水を使用する設備では、取水設備を介して海洋や河川から水を導入している。特に外海から海水を導入する場合、ポンプ等への影響を低減するために、ポンプの取水口では外海で発生する波を減衰させる必要がある。このような技術の一例として、下記特許文献１に記載された潜り堰を備える取水槽が知られている。
【０００３】
特許文献１に記載された取水槽は、導水路に接続されるとともに、複数の流路に区画された吸込水槽と、各流路内に設けられたポンプと、流路の上流端部に設けられた潜り堰と、を備えている。
【先行技術文献】
【特許文献】
【０００４】
【特許文献１】実開平６−８７４２５号公報
【発明の概要】
【発明が解決しようとする課題】
【０００５】
ところで、上記特許文献１に記載された取水槽では、潜り堰による流れへの抵抗が大きいほど波の減衰効果が大きく、吸込水槽の水位が低下する。すなわち、吸込水槽と外海との水位差が大きくなる。吸込水槽の水位が低くなると、ポンプの揚程を大きくする必要があるため、設備のランニングコストが上昇するという問題がある。
一方で、潜り堰による流れへの抵抗が小さい場合、吸込水槽と外海との水位差は小さくなるが、波への減衰効果を十分に得られない可能性がある。
【０００６】
本発明は上記課題を解決するためになされたものであって、十分な波の減衰効果を確保しつつ、低コストでの運用が可能な取水ピットを提供することを目的とする。
【課題を解決するための手段】
【０００７】
本発明の一態様に係る取水ピットは、外部取水域と貯水域とを区画するとともに、これら外部取水域と貯水域とを連通させる貫通孔を有し、かつ、上端が前記外部取水域の最大水位よりも高く設定された堰と、前記貯水域内の水を吸い上げるポンプと、前記貫通孔の開口率を調整可能な絞り部と、を備え、前記絞り部は、０％よりも大きい開口率である最小開口率と、前記開口率が１００％となる最大開口率との間で前記開口率を調整可能である。
【０００８】
この構成によれば、絞り部の開口率を調整することで、貫通孔を通過する水への抵抗係数を変化させることができる。これにより、外部取水域で高い波が発生した場合であっても、開口率を変化させることで波を十分に減衰させることができるとともに、適正な貯水域の水位を確保することができる。
さらに、この構成によれば、貫通孔が絞り部によって完全に閉塞されることがないため、外部取水域から貯水域に向かう水の流量を一定以上の値に維持することができる。これにより、ポンプは一定量以上の水を吸い上げ続けることができるため、キャビテーション（空引き）等の発生する可能性を低減することができる。
【００１１】
本発明の一態様に係る取水ピットは、前記ポンプが前記水を一定の流量で吸い上げるように該ポンプを制御する制御部を備えてもよい。
【００１２】
この構成によれば、ポンプからの水の流量を一定とすることができるため、外部の設備に対して安定的に水を供給することができる。
【００１３】
本発明の一態様に係る取水ピットでは、前記絞り部は、前記潜り堰の延びる方向に進退可能であるとともに、前記貫通孔と同方向に延びる小開孔が形成されたゲートであってもよい。
【００１４】
この構成によれば、ゲートの進退によって貫通孔の開口率を調整することができる。加えて、ゲートに小開孔が形成されていることから、ゲートを完全に下ろした状態であっても、貫通孔の開口率を０％よりも大きく維持することができる。これにより、外部取水域から貯水域に向かう水の流量を一定以上の値に維持することができる。
【００１５】
本発明の一態様に係る取水ピットでは、前記絞り部は、前記貫通孔の延びる方向に交差する方向に延びる回転軸回りに回動可能な複数のフラップであってもよい。
【００１６】
この構成によれば、フラップの回動によって貫通孔の開口率をさらに精緻に調整することができる。さらに、個々のフラップの回動に要するエネルギーを小さく抑えることができることから、有事には迅速にフラップを回動させることができる。これにより、外部取水域における波高や水位の変化に対して即時に対応することができる。
【００１７】
本発明の一態様に係る取水ピットでは、前記絞り部は、前記貫通孔の延びる方向に交差する方向に延びる回転軸回りに回動可能な複数のバタフライ弁であってもよい。
【００１８】
この構成によれば、バタフライ弁によって貫通孔の開孔率を精緻に調整することができる。さらに、個々のバタフライ弁の回動に要するエネルギーをさらに小さく抑えることができることから、有事にはさらに迅速にバタフライ弁を回動させることができる。
さらに、本発明の一態様に係る取水ピットは、外部取水域と貯水域とを区画するとともに、これら外部取水域と貯水域とを連通させる貫通孔を有し、かつ、上端が前記外部取水域の最大水位よりも高く設定された堰と、前記貯水域内の水を吸い上げるポンプと、前記貫通孔の開口率を調整可能な絞り部と、を備え、前記絞り部は、前記堰の延びる方向に進退可能であるとともに、前記貫通孔と同方向に延びる小開孔が形成されたゲートである。
加えて、本発明の一態様に係る取水ピットは、外部取水域と貯水域とを区画するとともに、これら外部取水域と貯水域とを連通させる貫通孔を有し、かつ、上端が前記外部取水域の最大水位よりも高く設定された堰と、前記貯水域内の水を吸い上げるポンプと、前記貫通孔の開口率を調整可能な絞り部と、を備え、前記絞り部は、前記貫通孔の延びる方向に交差する方向に延びる回転軸回りに回動可能な複数のフラップである。
また、本発明の一態様に係る取水ピットは、外部取水域と貯水域とを区画するとともに、これら外部取水域と貯水域とを連通させる貫通孔を有し、かつ、上端が前記外部取水域の最大水位よりも高く設定された堰と、前記貯水域内の水を吸い上げるポンプと、前記貫通孔の開口率を調整可能な絞り部と、を備え、前記絞り部は、前記貫通孔の延びる方向に交差する方向に延びる回転軸回りに回動可能な複数のバタフライ弁である。
【発明の効果】
【００１９】
本発明によれば、十分な波の減衰効果を確保しつつ、低コストでの運用が可能な取水ピットを提供することができる。
【図面の簡単な説明】
【００２０】
【図１】本発明の第一実施形態に係る取水ピットの全体図であって、ゲートが開状態にある場合を示す図である。
【図２】本発明の第一実施形態に係る取水ピットの全体図であって、ゲートが閉状態にある場合を示す図である。
【図３】本発明の第二実施形態に係る絞り部（フラップ）を示す図である。
【図４】本発明の第二実施形態に係る絞り部（フラップ）を示す図である。
【図５】本発明の第二実施形態に係る絞り部の変形例を示す図である。
【図６】図５の上下流方向と直交する方向における断面図である。
【図７】貫通孔における損失係数と波の高さとの関係を示すグラフである。
【発明を実施するための形態】
【００２１】
［第一実施形態］
本発明の第一実施形態について、図面を参照して説明する。図１に示すように、本実施形態に係る取水ピット１００は、外部取水域Ａと貯水域Ｂとを区画するとともに、貫通孔１１が形成された潜り堰（堰）１０と、貯水域Ｂ内の水を吸い上げるポンプ２０と、ポンプ２０の回転数を制御する制御部９０と、を備えている。
【００２２】
取水ピット１００は、発電所等の外部設備（不図示）で冷却水として利用される水を水源から導くための設備である。水源としては、海洋や河川、湖沼等、外部設備の置かれる環境に応じて適宜に選択される。
【００２３】
潜り堰１０は、上記水源の水底に設置されるベース部１２と、このベース部１２から上方（すなわち、水底から水面に向かう方向）に延びる堰本体１３と、この堰本体１３に形成された貫通孔１１に連通するトンネル部１４と、貫通孔１１の開口率を調整可能な絞り部１６としてのゲート１７と、を備えている。
【００２４】
堰本体１３は、例えばコンクリート等によって板状に形成されることで、水源を２つの区画に分ける。この堰本体１３を基準として陸地側の水域は貯水域Ｂとされ、水源側（海洋にあっては沖側）の水域は外部取水域Ａとされる。外部取水域Ａでは波浪や干満による水位の変化が常態的に発生していることが想定される。堰本体１３の上端は、このような外部取水域Ａの最大水位よりも高い位置にあるように設定される。言い換えれば、堰本体１３の上端は、外部取水域Ａが最大水位に達した場合であっても水面上に露出している。
【００２５】
さらに、堰本体１３には、上記の外部取水域Ａと貯水域Ｂとを互いに連通する貫通孔１１が形成されている。貫通孔１１の両端部のうち、外部取水域Ａ側に位置する端部には、トンネル部１４が設けられている。トンネル部１４は、堰本体１３と同様の材料によって形成された筒状の部材である。すなわち、トンネル部１４は、外部取水域Ａと貯水域Ｂとを連通する流路（取水流路１５）を形成する。このような取水流路１５を通じて、外部取水域Ａ側の水が貯水域Ｂ側に導かれ、該貯水域Ｂ内に貯留される。
以降の説明では、堰本体１３を基準として外部取水域Ａが位置する側を上流側と呼び、貯水域Ｂが位置する側を下流側と呼ぶ。さらに、上流側から下流側に向かう方向を上下流方向と呼ぶ。
【００２６】
なお、貫通孔１１の開孔寸法は、取水ピット１００が設置される環境や、取水された水を利用する外部設備の要請、仕様、又は後述する開口率の要請に応じて適宜に設定されてよい。
【００２７】
取水域側には、該取水域内の水を吸い上げるためのポンプ２０が設けられている。このポンプ２０の回転数は、後述の制御部９０によって制御されている。より具体的には、制御部９０は、ポンプによる水の吐出量（流量）が一定の値となるように、該ポンプの回転数を制御する。ポンプ２０によって吸い上げられた水は、上記した発電所等の外部設備で利用される。
【００２８】
ゲート１７は、堰本体１３の貫通孔１１を開閉するとともに、不図示の駆動部によって上記潜り堰１０の延びる方向に進退可能とされている。図１と図２に示すように、ゲート１７が堰本体１３の上端側に変位している場合（開状態）には、貫通孔１１は上下流方向にわたって全体が開通した状態となる。一方で、ゲート１７が水底側に変位している場合（閉状態）には、貫通孔１１は上下流方向にわたっておおむね閉塞された状態となる。
【００２９】
詳しくは図示しないが、このようなゲート１７の具体的な態様としては、ローラーゲート方式や、スルーゲート方式、マイターゲート方式等から適宜選択することができる。
【００３０】
さらに、本実施形態におけるゲート１７の一部には、上記貫通孔１１が延びる方向と同方向（すなわち、上下流方向）に延びる複数の小開孔１８が形成されている。これら小開孔１８が形成されることにより、ゲート１７が水底側に変位している場合であっても、貫通孔１１の開口率は０％よりも大きな値となる。なお、開口率とは貫通孔１１の開孔面積に対して、ゲート１７に覆われる部分が占める面積の比率を表す。
【００３１】
以上のように構成された取水ピット１００について、ゲート１７を開状態とする通常運用時の動作と、ゲート１７を閉状態とする非常運用時の動作とを説明する。
図１に示すように、外部取水域Ａの波高、水位がいずれも当該水域における通常の状態にあるとき、取水ピット１００では、ゲート１７が開状態とされる。すなわち、堰本体１３に形成された貫通孔１１の開口率は１００％（最大開口率）とされる。
【００３２】
上記の状態において、ポンプ２０を駆動し続けることにより、貯水域Ｂ内の水は該ポンプ２０によって連続的に吸い上げられる。これにより、貯水域Ｂの水位は、外部取水域Ａの水位よりも低くなる。
【００３３】
さらに、ポンプ２０によって貯水域Ｂの水が吸い上げられることで、堰本体１３におけるトンネル部１４内（取水流路１５）では、上流側（外部取水域Ａ側）から下流側（貯水域Ｂ側）に向かって水の流れが生じる。このとき、ポンプ２０による水の吐出量は、上記した取水流路１５中の流量よりも大きな一定の値に設定される。したがって、図１に示すように、貯水域Ｂの水位は、外部取水域Ａの水位よりも低い状態で均衡する。（この状態における外部取水域Ａと貯水域Ｂとの水位差をｄ１とする。）
【００３４】
さらに、貯水域Ｂは潜り堰１０によって外部取水域Ａ（外海）と隔てられていることから、外海で生じた波は、貯水域Ｂ内にわずかに伝播するものの、おおむね減衰される。これにより、貯水域Ｂ内では波によるポンプ２０への影響を低減することが可能となる。
【００３５】
一方で、図２に示すように、外部取水域Ａにおける波高、水位が通常運用時に比べて大きく変化した場合、ゲート１７は閉状態とされる。図２の例では、ゲート１７を完全に下ろした状態（堰本体１３の下端にゲート１７の下端が当接した状態）を示している。
【００３６】
このように、ゲート１７が閉状態にある場合、ゲート１７によって外部取水域Ａから貯水域Ｂに向かう水の流れに対して抵抗が生じる。また、該ゲート１７には上記した複数の小開孔１８が形成されていることから、上下流方向の水の流れが一定程度生じている。より正確には、該水の流れに対する抵抗係数が変化する。言い換えれば、ゲート１７を完全に閉状態とした場合であっても、貫通孔１１の開口率（最小開口率）は０％よりも大きな値となる。絞り部１６としてのゲート１７は、貫通孔１１の開口率を、上記最大開口率と最小開口率との間で調整可能となっている。具体的には、貫通孔１１の開口率は、５〜１５％が望ましく、さらに望ましくは８〜１２％とされ、最も望ましくは１０％とされる。
【００３７】
これにより、津波や高潮の発生時を含めて、外部取水域Ａにおける波高、水位が高くなった場合であっても、潜り堰１０のゲート１７を閉状態とすることによって貯水域Ｂへの波の伝播を抑制することができる。加えて、複数の小開孔１８によって、外部取水域Ａから貯水域Ｂに向かう水の流れを確保することができる。したがって、ゲート１７を下すことによる貯水域Ｂの水位の急激な低下を抑えることができるため、ポンプ２０におけるキャビテーション等の動作不良や、ポンプ２０に加わる負荷の増大を抑止することができるとともに、当該水を利用する外部設備に対して水を安定的に供給することができる。
【００３８】
具体的には、貫通孔１１の開口率が小さくなった場合、取水流路１５中の流れに対する損失係数は増加する。ここで図７に示すように、損失係数は、波の高さ（波高）との間でおおむね反比例の関係にある。したがって、貫通孔１１の開口率を小さくした場合、損失係数の増加にともなって貯水域Ｂ内における波高は小さく変化する。
【００３９】
ここで、上記のようにゲート１７を閉状態とした場合、貫通孔１１の開孔率が小さくなるため、外部取水域Ａから貯水域Ｂに向かう水の流量は減少する。この流量の減少に伴って、外部取水域Ａと貯水域Ｂとの水位差は、上述の水位差ｄ１よりも大きくなる。より具体的には、貯水域Ｂ側の水位が、ゲート１７が開状態にある場合に比して低くなる。このときの外部秋水域Ａと貯水域Ｂとの水位差をｄ２とする。
【００４０】
外部取水域Ａと貯水域Ｂとの水位差がｄ２である場合、該水位差がｄ１である場合に比べて、同じ回転数の下でのポンプ２０による水の吐出量（流量）が小さくなる。ポンプ２０による吐出量が小さくなった場合、発電所等の外部設備に対して安定的な水の供給が行えなくなる可能性がある。そこで、本実施形態に係る取水ピット１００では、上述の制御部９０によって、ポンプ２０の回転数を制御している。より具体的には、制御部９０は、ポンプ２０からの水の吐出量の変化に基づいてポンプ２０の回転数を制御する。ポンプ２０の吐出量が、予め定められた目標範囲よりも小さくなった場合、制御部９０はポンプ２０の回転数を上げる。一方で、ポンプ２０の吐出量が目標範囲よりも大きくなった場合、制御部９０はポンプ２０の回転数を下げる。これにより、ポンプ２０の吐出量は上記の目標範囲内で維持される。つまり、ポンプ２０は水を一定の流量で吸い上げることが可能となる。
【００４１】
より端的には、上記のように貫通孔１１における水の流れへの抵抗を大きくすることで、外部取水域Ａから貯水域Ｂへ伝播する波の影響を低減することができる。一方で、貫通孔１１における抵抗が大きすぎる場合、一定の流量を吸い上げるのに必要とされるポンプ２０の回転数（負荷）が大きくなってしまう。これにより、ランニングコストの上昇を招く可能性がある。
そこで、上記実施形態では、通常運用時にはゲート１７を開状態とし、外部取水域Ａにおける波高が卓越した場合のみ該ゲート１７を閉状態とすることで開口率を小さくしている。これにより、通常運用時におけるランニングコストの低減を図ることができる。
【００４２】
以上、本発明の第一実施形態について図面を参照して説明した。しかしながら、上記実施形態はあくまで一例であり、本発明の要旨を逸脱しない限りにおいて種々の変更、改修を加えることが可能である。
【００４３】
例えば、上記の実施形態では、貫通孔１１の上流側（外部取水域Ａ側）にトンネル部１４を設けた例について説明した。しかしながら、トンネル部１４を設けない構成を採ることも可能である。
【００４４】
また、上記実施形態では、海洋に隣接した発電所等の外部設備に取水ピット１００を適用した例について説明した。しかしながら、取水ピット１００の適用設備はこれに限定されず、水を利用する各種の設備において適用可能であるとともに、海洋に限らず、河川、湖沼、運河等、水の供給源を有する環境であればいずれにおいても適用可能である。
【００４５】
さらに、上記実施形態では、貫通孔１１が上下流方向にわたって同一の内径を有する例について説明した。しかしながら、貫通孔１１の形状はこれに限定されず、上流側から下流側に向かうにしたがって縮径、又は拡径するように構成されてもよい。また、貫通孔１１の下流側端部をディフューザ形状とすることも可能である。これらの構成によれば、貯水域Ｂ内への波の振動伝播をさらに抑制することができる。
【００４６】
また、上記実施形態における潜り堰１０に加えて、外部取水域Ａ側で貫通孔１１に対向する水域に板状の堤を設けてもよい。このような構成によれば、貯水域Ｂ内の水に対する波の影響をさらに小さくすることができる。
【００４７】
［第二実施形態］
続いて、本発明の第二実施形態について図３と図４を参照して説明する。同図に示すように、本実施形態に係る取水ピット１００では、絞り部１６の構成が上記第一実施形態とは異なっている。より具体的には、本実施形態では絞り部１６として、複数のフラップ３０を採用している。このフラップ３０は、図４に示すように、略鉛直方向の軸線Ｏ１に沿って延びる回転軸３１と、この回転軸３１に一体に設けられた板状のフラップ本体３２と、を有している。フラップ本体３２は、回転軸３１の外周から径方向外側に向かって互いに離間する方向に延びる一対の板状をなしている。
【００４８】
上記のように構成されたフラップ３０が、貫通孔１１の開孔方向に直交する方向（水平方向）に複数配列されている。個々のフラップ３０は、不図示の駆動源によって回転軸３１回りに回動される。さらに、フラップ３０は、該フラップ３０の回転軸３１回りの回動量を規制する回動規制部３３を備えている。この回動規制部３３は、一例として回転軸３１に一体に設けられたストッパであって、フラップ３０の回動を規制することで、貫通孔１１の開孔率を０％よりも大きな値で維持する。より具体的には、回動規制部３３は、回転軸３１に設けられた突片３３Ａと、この突片３３Ａと係合する係合部３３Ｂと、を有している。突片３３Ａが係合部３３Ｂに係合することで、回転軸３１（フラップ３０）の回動量が規制される。
【００４９】
上記の構成により、貫通孔１１の開口率を調整することができる。特に、フラップ３０の回動量（開度）をフラップ３０ごとに調整することで、上記第一実施形態におけるゲート１７に比べて、開口率をさらに精緻に調整することができる。
【００５０】
加えて、個々のフラップ３０の回動に要するエネルギーを小さく抑えることができるとともに、有事には迅速にフラップ３０を回動させることができる。これにより、外部取水域Ａにおける波高や水位の変化に対して即時に対応することができる。
【００５１】
なお、フラップ３０の開度（回動量）を調整するに当たっては、各フラップ３０をそれぞれ同じ量だけ調整してもよいし、フラップ３０ごとに異なる開度をそれぞれ設定してもよい。フラップ３０ごとに異なる開度を設定した場合には、より精緻に貫通孔１１の開口率を調整することができる。
【００５２】
さらに、フラップ３０の開度を規制する回動規制部３３の態様は上記のストッパに限定されず、例えばフラップ３０を回動させる駆動源と、この駆動源を制御する制御装置を設け、該制御装置によってフラップ３０の回動量が一定の値以上となるように調整してもよい。
さらに加えて、上記実施形態では、貫通孔１１の開孔面積のおおむね全体にわたってフラップ３０を設けた態様について説明したが、貫通孔１１の一部領域にフラップ３０が設けられない構成としてもよい。このような構成によっても、貫通孔１１の開孔率を０％よりも大きな値とすることができる。
【００５３】
また、フラップ３０に代えて、絞り部１６として、図５及び図６（Ａ）に示す構成（バタフライ弁４０）を採ることも可能である。同図に示すように、この絞り部１６は、貫通孔１１の水平方向、及び上下方向に配列された複数の管体である管状部Ｐと、これら管状部Ｐの上流側の端部にそれぞれ設けられた複数のバタフライ弁４０と、を備えている。
【００５４】
それぞれのバタフライ弁４０は、略鉛直方向の軸線Ｏ２方向に延びる回転軸４１と、この回転軸４１の外周から径方向外側に延びる一対の半円型の弁本体４２と、を備えている。回転軸４１は、前記貫通孔の延びる方向に交差する方向に延びている。弁本体４２は、不図示の駆動源によって回転軸４１と一体に軸線Ｏ２回りに回動される。また、詳しくは図示しないが、このバタフライ弁４０も、上記のフラップ３０における回動規制部３３（ストッパ）と同様の装置を備えている。
【００５５】
さらに、図６（Ａ）に示すように、バタフライ弁を備える絞り部１６を上下流方向と直交する方向から見ると、それぞれの管状部Ｐは、上方の管状部Ｐになるほど、上下流方向における寸法が長く、下方の管状部Ｐになるほど、上下流方向における寸法が小さくなっている。これにより、複数の回転軸４１をそれぞれ独立して回動させることが可能とされている。
【００５６】
なお、図６（Ｂ）に示すように、管状部Ｐ及びバタフライ弁４０を、上下方向にそれぞれ一対設けてもよい。この場合、管状部Ｐの上下流方向の寸法は互いに同一とされる。
【００５７】
さらに、図６（Ａ）、図６（Ｂ）の例では、バタフライ弁４０として円形の弁本体４２を採用している。しかしながら、バラフライ弁の態様はこれに限定されず、多角形をなしていてもよい。
【００５８】
加えて、回動規制部３３の態様は上記のストッパに限定されず、例えばバラフライ弁４０を回動させる駆動源と、この駆動源を制御する制御装置を設け、該制御装置によってバタフライ弁４０の回動量が一定の値以上となるように調整してもよい。
【符号の説明】
【００５９】
１０…潜り堰  １１…貫通孔  １２…ベース部  １３…堰本体  １４…トンネル部  １５…取水流路  １６…絞り部  １７…ゲート  １８…小開孔  ２０…ポンプ  ３０…フラップ  ３１…回転軸  ３２…フラップ本体  ３３…回動規制部  ４０…バタフライ弁  ４１…回転軸  ４２…弁本体  ９０…制御部  １００…取水ピット  Ａ…外部取水域  Ｂ…貯水域  Ｏ１…軸線  Ｏ２…軸線
【図１】
0006613693.tif 000002
【図２】
0006613693.tif 000003
【図３】
0006613693.tif 000004
【図４】
0006613693.tif 000005
【図５】
0006613693.tif 000006
【図６】
0006613693.tif 000007
【図７】
0006613693.tif 000008